(57)【要約】      （修正有）【課題】迅速な展開の効果を達成すると同時に、トイガンのストックの嵌合強度を向上した、トイガンのストック迅速展開構造を提供する。【解決手段】本体と、複数のスライドバーと、複数の結合部と、複数の嵌合部材と、ストック部材と、複数の回動係止部材と、複数の第１当接面と、複数の第２当接面と、位置規制部材と、第１弾性部材を含み、上述の構造により、使用者がストック部材を引き、スライドバー上の嵌合部材により回動係止部材を押して回動させることで、第１弾性部材により位置規制部材を押圧し、位置規制部材を当初の第１当接面に当接した状態から第２当接面上に当接した状態へと変化させ、これにより、使用者は後方へトイガンのストックを最後まで引くだけで、トイガンのストックを直接所定の位置に嵌合させ、迅速な展開の効果を達成することができ、同時にトイガンのストックの嵌合強度を高めることができる。【選択図】図２
0003232799.tif 000002
【実用新案登録請求の範囲】
【請求項１】
トイガンのストック迅速展開構造であって、前記トイガンのストックが主に、
本体と、
前記本体上に摺動可能に設置された複数のスライドバーと、
各前記スライドバー上に形成された複数の結合部と、
各前記結合部上に設置された複数の嵌合部材と、
前記スライドバーの一側に連接されたストック部材と、
前記本体内に枢設され、前記複数の嵌合部材に対応して嵌合するように形成された第１当接面及び該第１当接面の側方に位置する第２当接面がそれぞれ形成された複数の回動係止部材と、
前記本体内に設置された位置規制部材と、
前記本体の内側壁面と前記位置規制部材の間に設置され、弾性により前記位置規制部材を各前記第１当接面及び各前記第２当接面にそれぞれ付勢する第１弾性部材と、
を含むことを特徴とする、トイガンのストック迅速展開構造。
【請求項２】
前記本体上に両側が各該回動係止部材に連接された第２弾性部材が設置されたことを特徴とする、請求項１に記載のトイガンのストック迅速展開構造。
【請求項３】
各前記回動係止部材上に結合柱が形成され、かつ前記第２弾性部材の両側が各前記結合柱に被着されたことを特徴とする、請求項２に記載のトイガンのストック迅速展開構造。
【請求項４】
前記本体内に固定座体と外殻体が設置され、かつ前記固定座体上に軸部材が設置され、前記軸部材が前記外殻体内に挿設されて、前記固定座体が前記外殻体上に枢設されることを特徴とする、請求項１に記載のトイガンのストック迅速展開構造。
【請求項５】
前記外殻体上に前記固定座体をロックして固定する閉鎖部材が設置されたことを特徴とする、請求項４に記載のトイガンのストック迅速展開構造。
【請求項６】
前記固定座体上に座体弧形部が形成され、前記閉鎖部材上に前記座体弧形部に対応して嵌合される閉鎖弧形部が形成されたことを特徴とする、請求項５に記載のトイガンのストック迅速展開構造。
【請求項７】
前記本体と前記位置規制部材の間に補助弾性部材が設置されたことを特徴とする、請求項１に記載のトイガンのストック迅速展開構造。
【請求項８】
各前記スライドバーの各前記回動係止部材に近い一側に平面部が形成されたことを特徴とする、請求項１に記載のトイガンのストック迅速展開構造。
【請求項９】
前記トイガンのストックが、前記本体と各前記回動係止部材に挿通される複数の第１結合部材と、各前記回動係止部材と各前記第１結合部材に挿通される複数の第２結合部材を備えたことを特徴とする、請求項１に記載のトイガンのストック迅速展開構造。
【請求項１０】
前記トイガンのストックがトイガンに連接されることを特徴とする、請求項１に記載のトイガンのストック迅速展開構造。
【考案の詳細な説明】
【技術分野】
【０００１】
本考案は、トイガンのストック迅速展開構造に関し、特に、トイガンのストックを最後まで引くだけで、トイガンのストックを直接所定の位置に嵌合させ、迅速な展開の効果を達成することができ、同時にトイガンのストックの嵌合強度を高めることができる、トイガンのストック迅速展開構造に関する。
【背景技術】
【０００２】
サバイバルゲームは現代非常に多くの人々に人気のゲームとなっており、屋内の場所で、または屋外の林間でも、さまざまな戦場を模擬して対戦ゲームを行うことができ、このゲームの愛好家はゲームに熱中している。サバイバルゲームで最も重要なツールは当然、戦闘に使用するトイガンである。
【０００３】
トイガン使用時の快適性を高めるために、トイガンのストック上のピンを通じて、トイガンのストックの展開長さを調整することができるようになっている。使用者は異なるスロットにピンを差し込むだけで、ストックをその位置に位置決めすることができる。
【０００４】
しかしながら、上述のストックの展開長さを調整する操作方法では、使用者が毎回の展開後ピンを改めて抜かなければ調整することができないため、ほぞと溝を互いに嵌合させる調整構造が派生している。上述のほぞと溝の両者間には一定の公差があるため、使用者が比較的大きい力をかけて、ストックを引っ張り動かすことで、ほぞを異なる溝に嵌合させることができる。このような設計にも不便な点があり、例えば、使用者の腕の長さや慣れた射撃姿勢の関係で、ほぞを中間位置の溝に嵌合する必要があるが、ストックを引っ張る力が強すぎたり弱すぎたりすると、ストックがより後方またはより前方の溝に位置してしまい、再度前後に調整して理想的な位置にする必要があるため、使用上の不便が生じる。同時に、上述の構造はほぞと溝の間に調整に用いる公差を設計する必要があり、それによってストックを位置決めした後もぐらつきやすくなってしまう。
【考案の概要】
【考案が解決しようとする課題】
【０００５】
本考案の主な目的は、位置規制部材を第１当接面と第２当接面上にそれぞれ当接させることで、使用者がトイガンのストックを最後まで引っ張ると、直接所定の位置に嵌合させることができ、迅速な展開の効果を達成すると同時に、トイガンのストックの嵌合強度を向上した、トイガンのストックの迅速展開構造を提供することにある。
【課題を解決するための手段】
【０００６】
上述の目的を達成するため、本考案のトイガンのストック迅速展開構造は、主に、本体と、本体上に摺動可能に設置された複数のスライドバーと、スライドバー上に形成された複数の結合部と、結合部上に設置された複数の嵌合部材と、スライドバーの一側に連接されたストック部材と、本体内に枢設され、各嵌合部材に対応して嵌合される複数の回動係止部材と、を含み、各回動係止部材上に第１当接面と、第１当接面の側方に位置する第２当接面が形成され、本体内にさらに位置規制部材が設置され、本体内側壁面と位置規制部材の間に第１弾性部材が設置される。
【０００７】
上述の構造により、使用者がストック部材を引くと、ストック部材に連接されたスライドバーを後ろに摺動させ、さらにスライドバー上の嵌合部材が回動係止部材を押し動かし、押された回動係止部材が本体上に枢設された設計であるために回動され、当初第１当接面に当接された位置規制部材が、第１弾性部材の押圧に合わせて、第２当接面上に当接されるように変化し、このとき位置規制部材が両側の回動係止部材により位置規制された状態となり、これによりトイガンのストックに展開後の長さを維持させる。
【０００８】
使用者がストック部材を元の位置に押し戻したいときは、第１弾性部材の押圧を受ける位置規制部材を下から押すだけで、位置規制部材を上に移動させて第１当接面上に当接させ、さらにストック部材を押してスライドバー上に位置する嵌合部材で回動係止部材を押し開かせ、回動係止部材を回動させて当初の位置に戻し、ストック部材を畳むことができる。
【０００９】
以下この考案について説明する。
請求項１に記載するトイガンのストック迅速展開構造は、前記トイガンのストックが主に、本体と、前記本体上に摺動可能に設置された複数のスライドバーと、各前記スライドバー上に形成された複数の結合部と、各前記結合部上に設置された複数の嵌合部材と、前記スライドバーの一側に連接されたストック部材と、前記本体内に枢設され、前記複数の嵌合部材に対応して嵌合するように形成された第１当接面及び該第１当接面の側方に位置する第２当接面がそれぞれ形成された複数の回動係止部材と、前記本体内に設置された位置規制部材と、前記本体の内側壁面と前記位置規制部材の間に設置され、弾性により前記位置規制部材を各前記第１当接面及び各前記第２当接面にそれぞれ付勢する第１弾性部材と、を含むことを特徴としている。
【００１０】
請求項２に記載するトイガンのストック迅速展開構造は、請求項１における本体上に両側が各該回動係止部材に連接された第２弾性部材が設置される。
【００１１】
請求項３に記載するトイガンのストック迅速展開構造は、請求項２における各前記回動係止部材上に結合柱が形成され、かつ前記第２弾性部材の両側が各前記結合柱に被着される。
【００１２】
請求項４に記載するトイガンのストック迅速展開構造は、請求項１における本体内に固定座体と外殻体が設置され、かつ前記固定座体上に軸部材が設置され、前記軸部材が前記外殻体内に挿設されて、前記固定座体が前記外殻体上に枢設される。
【００１３】
請求項５に記載するトイガンのストック迅速展開構造は、請求項４における外殻体上に前記固定座体をロックして固定する閉鎖部材が設置される。
【００１４】
請求項６に記載するトイガンのストック迅速展開構造は、請求項５における固定座体上に座体弧形部が形成され、前記閉鎖部材上に前記座体弧形部に対応して嵌合される閉鎖弧形部が形成される。
【００１５】
請求項７に記載するトイガンのストック迅速展開構造は、請求項１における本体と前記位置規制部材の間に補助弾性部材が設置される。
【００１６】
請求項８に記載するトイガンのストック迅速展開構造は、請求項１における各スライドバーの各前記回動係止部材に近い一側に平面部が形成される。
【００１７】
請求項９に記載するトイガンのストック迅速展開構造は、請求項１におけるトイガンのストックが、前記本体と各前記回動係止部材に挿通される複数の第１結合部材と、各前記回動係止部材と各前記第１結合部材に挿通される複数の第２結合部材を備える。
【００１８】
請求項１０に記載するトイガンのストック迅速展開構造は、請求項１におけるトイガンのストックがトイガンに連接される。
【考案の効果】
【００１９】
この構造設計により、使用者がトイガンのストックを最後まで引くだけで、トイガンのストックを直接所定の位置に嵌合させ、迅速な展開の効果を達成することができ、同時にトイガンのストックの嵌合強度を高めることができる。
【００２０】
上述の技術により、本考案は従来のトイガンのストック展開長さ調整構造に存在する使用上不便である、トイガンのストックの位置決め後ぐらつく、という問題点を打破し、上述の利点を達成することができ、実用性と進歩性を備えている。
【図面の簡単な説明】
【００２１】
【図１】本考案の最良の実施例の立体図である。
【図２】本考案の最良の実施例の部分分解図である。
【図３】本考案の最良の実施例における引っ張る動作を示す概略図である。
【図４】本考案の最良の実施例における嵌合を示す概略図である。
【図５】本考案の最良の実施例における回動を示す概略図である。
【図６】本考案の最良の実施例における下への移動を示す概略図である。
【図７】本考案の最良の実施例における畳む動作を示す概略図である。
【図８】本考案の別の最良の実施例の立体図である。
【図９】本考案の別の最良の実施例の分解図である。
【図１０】本考案の別の最良の実施例における引っ張り伸ばす動作を示す概略図である。
【図１１】本考案の別の最良の実施例におけるロック解除動作を示す概略図である。
【図１２】本考案の別の最良の実施例における取り外し動作を示す概略図である。
【考案を実施するための形態】
【実施例１】
【００２２】
図１と図２に本考案の最良の実施例の立体図と部分分解図を示す。これらの図からはっきりと分かるように、本考案のトイガンのストック１００は、
本体１と、複数のスライドバー２と、複数の結合部２１と、複数の嵌合部材３と、ストック部材４と、複数の回動係止部材５と、位置規制部材６と、第１弾性部材１５と、を含み、
該スライドバー２が摺動可能に該本体１上に設置され、
該複数の結合部２１が各該スライドバー２上に形成され、
各該嵌合部材３が各該結合部２１上に設置され、
該ストック部材４が該複数のスライドバー２の一側に連接され、
該複数の回動係止部材５が該本体１内に枢設され、かつ該複数の嵌合部材３に対応して嵌合され、各該回動係止部材５上に第１当接面５１と、該第１当接面５１の側方に位置する第２当接面５２が形成され、
該位置規制部材６が該本体１内に設置され、
該第１弾性部材１５が該本体１の内側の壁と該位置規制部材６の間に設置され、弾性により該位置規制部材６を各該第１当接面５１及び各該第２当接面５２にそれぞれ当接させる。
【００２３】
そのうち、各該スライドバー２の各該回動係止部材５に近い一側に平面部２２が形成される。
【００２４】
そのうち、該トイガンのストック１００上に該本体１と各該回動係止部材５に挿通される複数の第１結合部材１３と、各該回動係止部材５と各該第１結合部材１３に挿通される複数の第２結合部材１４が設置される。
【００２５】
そのうち、各回動係止部材５上に嵌合部材３に対応して接触する嵌置槽５３が設けられる。
【００２６】
好ましくは、スライドバー２と嵌合部材３の数量はそれぞれ２個を例とする。
【００２７】
好ましくは、結合部２１がスライドバー２上のねじ穴であり、かつ各スライドバー２上の結合部２１の数量は５個を例とする。
【００２８】
好ましくは、嵌合部材３がねじである。
【００２９】
好ましくは、第１弾性部材１５がばねである。
【００３０】
上述の説明から、本技術の構造を理解することができるが、この構造の対応した組み合わせにより、使用者がトイガンのストック１００を最後まで引くだけで、トイガンのストック１００を所定の位置に直接嵌合させ、迅速な展開の効果を達成することができ、同時にトイガンのストック１００の嵌合強度を高めることができる。詳細な解説を以下で説明する。
【００３１】
同時に図１から図７に示す本考案の最良の実施例の立体図から畳む動作を示す概略図までを参照する。上述の構造部材を組み立てるとき、図からはっきりと分かるように、本考案のトイガンのストック１００の本体１はトイガン２００に連接され、かつ本体１が、外殻体１１と、外殻体１１内に設置された固定座体１２を含み、使用者がトイガンのストック１００の展開長さを調整したいときは、まずストック部材４を後ろへ引くと（図３参照）、ストック部材４に連接されたスライドバー２もそれに伴い後ろへ摺動され、結合部２１上の嵌合部材３が回動係止部材５上の嵌置槽５３に抵触すると（図４参照）、本体１上に枢設された回動係止部材５が押し動かされ、回動係止部材５を回動させて外方向に突っ張らせ（図５参照）、このときの回動係止部材５は外方向に突っ張り、スライドバー２の平面部２２を支持する。
【００３２】
回動係止部材５がまだ回動していないとき、位置規制部材６は第１当接面５１上に当接され、回動係止部材５が回動した後、当初第１当接面５１上に当接されていた位置規制部材６が、第１弾性部材１５の押圧により下へ移動されて第２当接面５２上に当接される（図６参照）。これにより、第２当接面５２に当接された位置規制部材６が回動係止部材５に対して嵌合固定の効果を生じ、トイガンのストック１００をこの位置に位置決めすることができる。
【００３３】
このように、位置規制部材６が第１当接面５１と第２当接面５２上にそれぞれ当接される設計に、回動係止部材５が固定座体１２上に枢設された構造を組み合わせることで、使用者が毎回の使用時、トイガンのストック１００を後ろへ引くだけで、直接位置決めを達成でき、かつトイガンのストック１００が所定の展開長さとなり、迅速な展開の効果を達成することができる。このほか、位置規制部材６が第２当接面５２に当接されたとき、回動係止部材５及びスライドバー２に係止された状態となり、全体の嵌合強度が向上される。
【００３４】
使用者が位置規制部材６と回動係止部材５の嵌合状態を解除して、ストック部材４を前方へ畳みたいときは、位置規制部材６を上方向へ押す。このとき位置規制部材６が第２当接面５２を離脱し、続いてストック部材４がスライドバー２を連動して前方へ押し動かし、嵌合部材３に嵌置槽５３を押し開かせ、かつ回動係止部材５を連動して回動させる。このとき使用者は位置規制部材６を上に押す動作を停止し、位置規制部材６は回動係止部材５の回動により、第１当接面５１上に当接される。嵌置槽５３による位置規制を受けない嵌合部材３は、使用者がスライドバー２を妨げられることなく前方へ押し動かすことを可能にし、これによりトイガンのストック１００を畳む効果を達成することができる。
【００３５】
また、平面部２２の構造により、回動係止部材５を密着させやすく、同時に嵌合部材３をスライドバー２上に設置しやすくしている。
【００３６】
また、第１結合部材１３と第２結合部材１４の構造により、回動係止部材５と本体１の結合強度を向上し、回動係止部材５を本体１上に安定的に枢設することができる。
【実施例２】
【００３７】
図８から図１２に示す本考案の最良の実施例の立体図から取り外し動作を示す概略図を同時に参照する。上述の構成部材で組み立てたとき、図からはっきりと分かるように、本実施例は上述の実施例とほぼ同じであるが、本実施例において、本体１ａと位置規制部材６ａの間に補助弾性部材１６ａが設置され、各回動係止部材５ａ上に結合柱５４ａが形成され、かつ本体１ａ内に両側が結合柱５４ａ上に被着された第２弾性部材１７ａを備え、固定座体１２ａ上に軸部材１８ａが設置され、軸部材１８ａが外殻体１１ａ内に挿設されて、固定座体１２ａが外殻体１１ａ上に枢設され、さらに外殻体１１ａ上に固定座体１２ａをロックする閉鎖部材１９ａが設置され、固定座体１２ａ上に座体弧形部１２１ａが形成され、閉鎖部材１９ａ上に座体弧形部１２１ａに対応して嵌合される閉鎖弧形部１９１ａが形成される。
【００３８】
好ましくは、第２弾性部材１７ａが引張ばねである。
【００３９】
好ましくは、補助弾性部材１６ａがばねである。
【００４０】
補助弾性部材１６ａの構造により、第１弾性部材１５ａの位置規制部材６ａに対する押圧を補助し、回動係止部材５ａが回動した後、位置規制部材６ａを第１当接面に当接する位置まで確実に移動させることができる。
【００４１】
本実施例において、ストック部材４ａを後方へ展開する動作の流れは上述の最良の実施例と同じであるため、説明を省略する。使用者がトイガンのストック１００ａを畳みたいときは、位置規制部材６ａを上へ押すと、回動係止部材５ａが結合柱５４ａ上に被着された第２弾性部材１７ａによって内側へ引っ張られ（図１１参照）、回動係止部材５ａの回動を補助し、これにより、スライドバー２ａを前方へ押し動かすとき、嵌置槽５３ａと嵌合部材３ａが引っ掛かる状況の発生を回避できる。
【００４２】
図１１からはっきりと分かるように、閉鎖部材１９ａは閉鎖弧形部１９１ａと座体弧形部１２１ａの結合構造によって、固定座体１２ａに対して嵌合を行うもので、使用者がストックを取り外したいときは、閉鎖部材１９ａを回動させて閉鎖弧形部１９１ａと座体弧形部１２１ａ間の連結を解除することができる。固定座体１２ａは軸部材１８ａの設計により、軸部材１８ａを円心として若干の回動を行うことができる（図１２参照）が、軸部材１８ａが外殻体１１ａ上に挿設されているため、固定座体１２ａは脱落してしまうことがない。このとき、使用者はストック部材４ａを後方へ引っ張り、スライドバー２ａを本体１ａ上から取り外すことができる。これにより、ストック部材４ａとスライドバー２ａにメンテナンスや修理を行うことができ、同時に、使用者は嵌合部材３ａの固定位置を調整し、トイガンのストック１００ａのデフォルトの展開長さを調整することもできる。
【００４３】
このように、本考案のトイガンのストックの迅速展開構造が、従来の技術を改善できる技術的な鍵は次のとおりである。
【００４４】
第一に、位置規制部材６が第１当接面５１と第２当接面５２上にそれぞれ当接されることで、使用者がトイガンのストック１００を最後まで引くと、直接所定の位置に嵌合させることができ、迅速な展開の効果を達成すると同時に、トイガンのストック１００の嵌合強度が高められる。
【００４５】
第二に、第２弾性部材１７ａの構造により、回動係止部材５ａを引っ張ることで、スライドバー２ａを前方へ押し動かすとき、嵌置槽５３ａと嵌合部材３ａが引っ掛かる状況の発生を回避できる。
【００４６】
第三に、軸部材１８ａと閉鎖部材１９ａの組み合わせにより、使用者がスライドバー２ａとストック部材４ａを本体１ａから取り外して、スライドバー２ａとストック部材４ａの修理やメンテナンスを行うことができ、かつ使用者はトイガンのストック１００ａのデフォルトの展開長さを調整することができる。
【符号の説明】
【００４７】
１００、１００ａ…トイガンのストック
２００…トイガン
１、１ａ…本体
１１、１１ａ…外殻体
１２、１２ａ…固定座体
１２１ａ…座体弧形部
１３…第１結合部材
１４…第２結合部材
１５、１５ａ…第１弾性部材
１６ａ…補助弾性部材
１７ａ…第２弾性部材
１８ａ…軸部材
１９ａ…閉鎖部材
１９１ａ…閉鎖弧形部
２、２ａ…スライドバー
２１…結合部
２２…平面部
３、３ａ…嵌合部材
４、４ａ…ストック部材
５、５ａ…回動係止部材
５１…第１当接面
５２…第２当接面
５３、５３ａ…嵌置槽
５４ａ…結合柱
６、６ａ…位置規制部材
【図１】
0003232799.tif 000003
【図２】
0003232799.tif 000004
【図３】
0003232799.tif 000005
【図４】
0003232799.tif 000006
【図５】
0003232799.tif 000007
【図６】
0003232799.tif 000008
【図７】
0003232799.tif 000009
【図８】
0003232799.tif 000010
【図９】
0003232799.tif 000011
【図１０】
0003232799.tif 000012
【図１１】
0003232799.tif 000013
【図１２】
0003232799.tif 000014
【手続補正書】
【提出日】令和3年4月20日(2021.4.20)
【手続補正１】
【補正対象書類名】実用新案登録請求の範囲
【補正対象項目名】全文
【補正方法】変更
【補正の内容】
【実用新案登録請求の範囲】
【請求項１】
トイガンのストック迅速展開構造であって、前記トイガンのストックが、
本体と、
前記本体上に摺動可能に設置された複数のスライドバーと、
各前記スライドバー上に形成された複数の結合部と、
各前記結合部上に設置された複数の嵌合部材と、
前記スライドバーの一側に連接されたストック部材と、
前記本体内に枢設され、前記複数の嵌合部材に対応して嵌合するように形成された第１当接面及び該第１当接面の側方に位置する第２当接面がそれぞれ形成された複数の回動係止部材と、
前記本体内に設置された位置規制部材と、
前記本体の内側壁面と前記位置規制部材の間に設置され、弾性により前記位置規制部材を各前記第１当接面及び各前記第２当接面にそれぞれ付勢する第１弾性部材と、
を含むことを特徴とする、トイガンのストック迅速展開構造。
【請求項２】
前記本体上に両側が各該回動係止部材に連接された第２弾性部材が設置されたことを特徴とする、請求項１に記載のトイガンのストック迅速展開構造。
【請求項３】
各前記回動係止部材上に結合柱が形成され、かつ前記第２弾性部材の両側が各前記結合柱に被着されたことを特徴とする、請求項２に記載のトイガンのストック迅速展開構造。
【請求項４】
前記本体内に固定座体と外殻体が設置され、かつ前記固定座体上に軸部材が設置され、前記軸部材が前記外殻体内に挿設されて、前記固定座体が前記外殻体上に枢設されることを特徴とする、請求項１に記載のトイガンのストック迅速展開構造。
【請求項５】
前記外殻体上に前記固定座体をロックして固定する閉鎖部材が設置されたことを特徴とする、請求項４に記載のトイガンのストック迅速展開構造。
【請求項６】
前記固定座体上に座体弧形部が形成され、前記閉鎖部材上に前記座体弧形部に対応して嵌合される閉鎖弧形部が形成されたことを特徴とする、請求項５に記載のトイガンのストック迅速展開構造。
【請求項７】
前記本体と前記位置規制部材の間に補助弾性部材が設置されたことを特徴とする、請求項１に記載のトイガンのストック迅速展開構造。
【請求項８】
各前記スライドバーの各前記回動係止部材に近い一側に平面部が形成されたことを特徴とする、請求項１に記載のトイガンのストック迅速展開構造。
【請求項９】
前記トイガンのストックが、前記本体と各前記回動係止部材に挿通される複数の第１結合部材と、各前記回動係止部材と各前記第１結合部材に挿通される複数の第２結合部材を備えたことを特徴とする、請求項１に記載のトイガンのストック迅速展開構造。
【請求項１０】
前記トイガンのストックがトイガンに連接されることを特徴とする、請求項１に記載のトイガンのストック迅速展開構造。